(57)【要約】      （修正有）【課題】板材に巻き回したコードを巻き戻すことなく簡単に取り外すことができるような、イヤホンコード巻き取り具を提供する。【解決手段】板材１は、切欠８ａを有する一辺と、切欠８ｂを有する他の一辺とを有し、一辺と他の一辺を近接可能になるような柔軟性を有する。【選択図】図２
2019009753.tif 000002
【特許請求の範囲】
【請求項１】
2019009753.tif 000033
より、該コードを巻き取り可能なイヤホンコード巻き取り具であって、
2019009753.tif 000034
を有することを特徴とするイヤホンコード巻き取り具。
【発明の詳細な説明】
【技術分野】
【０００１】  本発明は、イヤホンのコードを巻き取り可能な、イヤホンコード巻き取り具に関する。
【背景技術】
【０００２】  従来、イヤホンのコードを巻き取るために、特許文献１に示すように、該コードを巻き
2019009753.tif 000003
ヤーに巻き付けたり、板状のものに巻き付けたりすることも行われている。
【先行技術文献】
【特許文献】
【０００３】
【特許文献１】特開２０１２−４１１８５号公報
【発明の概要】
【発明が解決しようとする課題】
【０００４】  しかしながら、上記の方法で巻き付けたイヤホンを使用する場合には、コードを巻き戻す必要があるため、煩わしく、またコードが絡まったり、さらにコードが伸びて断線したりという問題がある。【０００５】  本発明は、このような背景のもとになされたものであり、その目的は、板材に巻き回したコードを巻き戻すことなく簡単に取り外すことができるような、イヤホンコード巻き取り具を提供することにある。
【課題を解決するための手段】
【０００６】
2019009753.tif 000004
施するための最良の形態の説明及び図面で使用した符号を参考のために括弧書きで付記するが、本発明の構成要素は該付記したものには限定されない。【０００７】  まず手段１に係る発明は、
2019009753.tif 000005
を巻き取り可能なイヤホンコード巻き取り具であって、
2019009753.tif 000006
を有することを特徴とするイヤホンコード巻き取り具である。
2019009753.tif 000007
の間に隙間ができるので、巻き回したコードを簡単に取り外すことができる。【０００８】  また手段２に係る発明は、
手段１に記載したイヤホンコード巻き取り具であって、
2019009753.tif 000008
ことを特徴とするイヤホンコード巻き取り具である。
これによれば、板材を撓ませない通常状態では、巻き回したコードが切欠に嵌まるので、コードが板材から外れることがない一方、板材を撓ませた撓み状態では、巻き回したコードを切欠から簡単に取り外すことができる。【０００９】  また手段３に係る発明は、
手段１又は２に記載したイヤホンコード巻き取り具であって、
前記板材は、前記柔軟性が異なる一の板材（ベース板１）と他の板材（バネ板２）と
2019009753.tif 000009
これによれば、一の板材又は他の板材の一方（本実施例では他の板材）に、撓み状態か
2019009753.tif 000010
【００１０】  また手段４に係る発明は、
手段３に記載したイヤホンコード巻き取り具であって、
2019009753.tif 000011
ンコード巻き取り具である。
これによれば、一の板材と他の板材とが剥離することなく確実に固着されると共に、第一金具と第二金具を指で挟むことにより、板材を簡単に撓ませることができる。【００１１】  さらに手段５に係る発明は、
手段１〜４のいずれか１つに記載したイヤホンコード巻き取り具であって、
2019009753.tif 000012
あることを特徴とするイヤホンコード巻き取り具である。
2019009753.tif 000013
とより、必要なコードの長さを調節できる。
【図面の簡単な説明】
【００１２】
【図１】イヤホンコード巻き取り具の正面図。
【図２】
2019009753.tif 000014
【図３】
2019009753.tif 000015
【図４】
2019009753.tif 000016
【発明を実施するための最良の形態】
【００１３】  本発明は、イヤホンのコードを巻き取り可能な、イヤホンコード巻き取り具である。ここでイヤホンとは、基端側にイヤホンプラグを有し、先端側にイヤホン本体を有し、両者の
2019009753.tif 000017
「イヤホン」の他に、本体を耳に押し当てる、いわゆる「ヘッドホン」も含むが、以下においては、いわゆるイヤホンについて説明する。また、イヤホンは、両耳用の他に、片耳用であっても良い。【００１４】  図１は、イヤホンコード巻き取り具の正面図である。以下においては、図１を基準に
2019009753.tif 000018
【００１５】  このイヤホンコード巻き取り具は、厚さ数ｍｍの板状であり、本例では、ポリプロピレンなどのバネ弾性を持った硬質樹脂板であるバネ板２を、シリコン，軟質ウレタン樹脂，
2019009753.tif 000019
及び第二金具３ａは、カシメ，ハトメ，リベットなどである。【００１６】  ベース板１には、スリットと、該スリットの最奥にコード留めの小穴が設けられる。本
2019009753.tif 000020
れている。ここでコード留め９ｂは、両耳用のイヤホン本体の各々に繋がる、先分かれした２本のコードを留めるために、２つの小穴であり、その他のコード留め４ｂ，５ｂ，７ｂは、該２本のコードが一体化した１本のコードを留めるために、１つの小穴である。各小穴の径は、コードの径よりも少し大きめにするのが好ましく、これによれば、各小穴に留められたコードが、容易に外れることはない一方、少し力を入れて引っ張ることにより外すことができる。なお、スリットやコード留めの数は、本例より多くても少なくても良く、特に限定されるものではない。また、スリットやコード留めを設ける位置も、本例に限定されるものではない。【００１７】
2019009753.tif 000021
【００１８】  次に、イヤホンコード巻き取り具にコードを巻き回す様子を説明する。【００１９】
2019009753.tif 000022
のうち、使用時に不要となる長さのコードを、くびれ６ａ，６ｂの間に巻き回してから、
2019009753.tif 000023
【００２０】
2019009753.tif 000024
記コード留め７ｂに留めた先のコードを、切欠８ａ，８ｂの間に巻き回してから、その
2019009753.tif 000025
【００２１】  最後に、イヤホンコード巻き取り具に巻き回したコードを取り外す様子を説明する。【００２２】
2019009753.tif 000026
が巻き回された、通常形状のイヤホンコード巻き取り具の、第一金具３ｂと第２金具３ａを２本の指で挟み、柔軟性を有する板材を撓ませて、逆Ｕ字型あるいは馬蹄形の撓み形
2019009753.tif 000027
り、切欠８ａ，８ｂの間に巻き回したコードを簡単に取り外すことができる。ここで、く
2019009753.tif 000028
【００２３】  そして、イヤホン本体に繋がるコードをコード留め９ｂから取り外し、前記切欠８ａ，８ｂから取り外したコードを延ばすことにより、イヤホンを使用することができる。なお、くびれ６ａ，６ｂの間に巻き回したコードは、この動作では外れないので、使用時に不要となる長さのコードが邪魔になることがない。さらに、板材を撓ませた指を離すと、バネ板２のバネ弾性により、イヤホンコード巻き取り具が撓み形状から通常形状に復元するので、イヤホンの使用後に、再びコードを巻き付けることができる。【００２４】  以上に説明したイヤホンコード巻き取り具は、様々に変更して実施可能である。【００２５】  上記の実施形態では、イヤホンコード巻き取り具の形状が、縦長の略長方形である例について説明したが、これに限らず、該形状は、例えば六角形でもよく、この場合には、該
2019009753.tif 000029
できるものであれば良い。【００２６】  上記の実施形態では、イヤホンコード巻き取り具が平板状である例について説明したが
2019009753.tif 000030
も良く、これによれば、平板を撓ませる場合と比べて小さい力で撓ませることができる。【００２７】  上記の実施形態では、くびれ６ａ，６ｂが略シンメトリーに形成されている例について説明したが、これに限らず、一方のくびれを大きく、他方のくびれを小さく（あるいはくびれ無し）と、アシンメトリーに形成しても良く、これによれば、巻き回したコードを大きい側のくびれに寄せることにより、さらに簡単にコードを取り外すことができる。
【符号の説明】
【００２８】１…ベース板
２…バネ板
３ａ…第二金具
３ｂ…第一金具
４ａ…スリット
４ｂ…コード留め
５ａ…スリット
５ｂ…コード留め
2019009753.tif 000031
７ａ…スリット
７ｂ…コード留め
2019009753.tif 000032
９ａ…スリット
９ｂ…コード留め
１０…ストラップ取り付け穴
【図１】
2019009753.tif 000035
【図２】
2019009753.tif 000036
【図３】
2019009753.tif 000037
【図４】
2019009753.tif 000038